(57)【要約】【課題】  書類等のシート体を容易に取り出すことができるシート体収納具を提供すること。【解決手段】  シート体収納具（１，２１，３１，６１）は、Ａ４の書類（１３，２６，５５）を収納することができる収納具であり、樹脂で作られた１又のシート材をＡ４サイズに合わせて折り畳み、書類（１３，２６，５５）を挿通可能な開口部（３，２７，３３，６３）を形成するように縁部を閉じて成る本体（５，２３，３５，６５）と、重なり合って開口部（３，２７，３３，６３）を形成するシート材の縁部の同じ位置に設けられ、本体（５，２３，３５，６５）に書類を収納したとき、書類（１３，２６，５５）の一部を摘むことができるように露出させる一対の切欠き（９ａ，９ｂ，２５ａ，２５ｂ，３９ａ，３９ｂ，６９ａ，６９ｂ）とを具備する。【選択図】  図４
2007030488.tif 000002
【特許請求の範囲】
【請求項１】
所定サイズのシート体を収納することができるシート体収納具において、
１又は２枚のシート材を前記シート体のサイズに合わせて折り畳み又は重ね合わせ、該シート体を挿通可能な開口部を形成するように縁部を閉じて成る本体と、
重なり合って前記開口部を形成するシート材の縁部の同じ位置に設けられ、前記本体に前記シート体を収納したとき、該シート体の一部を摘むことができるように露出させる一対の切欠きと
を具備することを特徴とするシート体収納具。
【請求項２】
請求項１記載のシート体収納具において、前記一対の切欠きは、同一形状であることを特徴とするシート体収納具。
【請求項３】
請求項１記載のシート体収納具において、前記一対の切欠きのうち、一方の切欠きは、他方の切欠きよりも浅く、且つ当該他方の切欠きから覗くシート材の一部を摘むことができるように設けられていることを特徴とするシート体収納具。
【請求項４】
請求項１乃至３のいずれか記載のシート体収納具において、前記本体は、前記シート体のサイズに合わせて長方形に形成されており、その一の長辺側の縁部には、シート体収納具を収納するためのファイリング用具に設けられたリング状又は棒状の保持具を挿通させる孔が長さ方向に複数配設されていることを特徴とするシート体収納具。
【発明の詳細な説明】
【技術分野】
【０００１】  本発明は、所定サイズのシート体を収納することができるシート体収納具に関する。更に詳細には、シート体を容易に取り出すことができるシート体収納具の構造に関する。
【背景技術】
【０００２】  従来、いわゆるＡ４サイズ等の所定サイズの書類を収納するための収納具として、図１５に示すような、１又は２枚の樹脂シートを当該書類のサイズに対応するように折り畳み又は重ね合わせ、一の短辺部分に又は短辺部分と長辺部分の両方に開口部１２０を形成するように適宜の方法（例えば、溶着、接着、又は圧着など）で縁部を閉じ、当該開口部１２０が書類の出入口として機能するファイルホルダ１２１が知られている。図のファイルホルダ１２１は、約Ａ３サイズ（Ａ４サイズの２倍の大きさ）の樹脂シートを半分に折り畳み、一の短辺部分を溶着によって閉じて形成され、当該短辺部分には、樹脂シートが溶けてできた痕（以下「溶着痕」という。）１２２が残っている。【０００３】  このような従来のファイルホルダ１２１には、書類の出し入れに際して必要になる開口部１２０を開く作業が容易に行えるように、開口部１２０を形成する縁部のうち、重なり合う樹脂シートの一方にのみ凹状の切欠き１２３が設けられている。従って、書類１２４を収納するときは、図１６に示すように、切欠き１２３から覗く他方の樹脂シートを摘んで開口部１２０を開き、書類１２４を差し込めばよい。また、書類１２４を取り出すときも、図１７に示すように、切欠き１２３から覗く書類１２４の一部と他方の樹脂シートの一部とを摘んで開口部１００を開き、書類１２４を別の手で摘んで取り出すことができる。【０００４】  しかしながら、某大手文房具メーカーの特許出願に係るにポケット状ファイル用具（特許文献１参照）は、従来のファイルホルダ１２４に設けた切欠き１２３が、収納された書類１２４を取り出すときの当該書類１２４への指先案内面として作用させることができるのみで、ポケット（ここではファイルホルダ１２１）内に書類１２４を収納する際の収納容易性をも達成するには至っていないことを課題としている。そして、ポケットを形成するシート開口部に、当該開口部に沿う位置を最大寸法とする切欠部を形成したことにより、切欠部を利用して書類の出し入れを容易に行えるようにしている。【０００５】  また、同文献には、切欠部を、ポケットを形成する表裏シートのそれぞれに形成し、各ポケットの形成位置が幅方向にずれて設けられるという技術思想が開示されている。このように表裏シートの切欠部を幅方向にずらして設けた理由として、切欠部が完全に重なり合わない位置にあることにより、表裏何れかのシートの切欠部の領域内に何れか他方のシート面部分が位置するようになり、ポケット内に台紙を収納しなくても特に不都合を生じないことが挙げられている。ここで、上記の「不都合」とは、同文献に係る発明が解決しようとする課題を鑑みるに、「書類を沿わせて挿入することができる挿入案内面と開口部を開くための指先案内面とを確保できないことにより書類の出し入れが容易に行えないこと」であると思われる。従って、表裏シートのそれぞれに切欠部を設ける場合、書類の出し入れの容易性を確保するためには、切欠部の形成位置を幅方向にずらすことが当業者の間で必須の構成として認識されていると思われる。【０００６】
【特許文献１】  特開２００１−２６１９１号公報
【発明の開示】
【発明が解決しようとする課題】
【０００７】  しかしながら、従来のファイルホルダ１２１（図１５〜図１７）と上記文献のポケット状ファイル用具の何れにおいても、収納した書類を取り出すときは、図１７に示すとおり、重なり合う樹脂シートの一方に設けた切欠き１２３から覗く書類１２４の一部と他方の樹脂シートとを摘んで開口部１００を開いてから、書類１２４を摘まんで取り出さなければならない。つまり、従来のファイルホルダから書類を取り出すためには、開口部１００を開く作業と、書類１２４を引き出す作業の２ステップが必須であり、特に乾燥等の事情により手が滑る場合には、開口部１００を開くこと及び書類１２４だけを摘むことが上手く行えず、書類１２４を取り出すのに長時間を要し、苛々が募る原因となる。この問題は、複数のファイルホルダ１２１から書類１２４を連続して取り出さなければならない場合に一層顕著に表れる。【０００８】  本発明は、上記の事情に鑑み、書類等のシート体を容易に取り出すことができるシート体収納具を提供することを目的とする。
【課題を解決するための手段】
【０００９】  本発明のシート体収納具は、所定サイズのシート体を収納することができる収納具であって、１又は２枚のシート材を前記シート体のサイズに合わせて折り畳み又は重ね合わせ、該シート体を挿通可能な開口部を形成するように縁部を閉じて成る本体と、重なり合って前記開口部を形成するシート材の縁部の同じ位置に設けられ、前記本体に前記シート体を収納したとき、該シート体の一部を摘むことができるように露出させる一対の切欠きとを具備することを特徴とする。【００１０】  本発明の実施形態では、一対の切欠きを、同一形状にすることができる。或いは、前記一対の切欠きのうち、一方の切欠きを、他方の切欠きよりも浅く、且つ当該他方の切欠きから覗くシート材の一部を摘むことができるように設けてもよい。【００１１】  本発明の別の実施形態では、本体を、前記シート体のサイズに合わせて長方形に形成し、その一の長辺側の縁部には、シート体収納具を収納するためのファイリング用具に設けられたリング状又は棒状の保持具を挿通させる孔を長さ方向に複数配設するのがよい。
【発明の効果】
【００１２】  本発明によれば、本体に設けた一対の切欠きから覗くシート体の一部を摘んで引っ張るだけで、開口部を開く作業を要することなく、１ステップでシート体を取り出すことができる。この効果は、複数のシート体収納具からシート体を連続的に取り出さなければならない場合に一層顕著に表れる。【００１３】  また、一対の切欠きのうち、一方の切欠きを、他方の切欠きよりも浅く、且つ当該他方の切欠きから覗くシート材の一部を摘むことができるように設ければ、上記の効果のほかに、シート体を収納する際には、当該シート材の一部を摘んで開口部を容易に開くことができるという従来の効果をも奏し得る。【００１４】  更に、本発明は、ファイリング用具に収納可能な構成にすることもできる。この構成によれば、全体がファイリング用具に収まるため、一対の切欠きからシート体の一部が露出していても、かかる一部が摩擦等によって破損することもない。
【発明を実施するための最良の形態】
【第１実施例】
【００１５】  図１は、第１実施例のシート体収納具１の斜視図である。
【００１６】  このシート体収納具１は、例えば、いわゆるＡ４サイズのシート体（例えば、書類）を収納するため、
樹脂で作られた１枚のシート材をＡ４サイズに合わせて折り畳み、書類を挿通可能な開口部３を形成するように縁部を閉じて成る本体５と、
重なり合って開口部３を形成するシート材の縁部の一方にのみ設けられた凹状の切欠き７と、
重なり合って開口部３を形成するシート材の縁部の同じ位置（図では本体５の一角）に設けられ、本体５に書類を収納したとき、この書類の一部を摘むことができるように露出させる一対の切欠き９ａ，９ｂと
で構成されている。
【００１７】  具体的には、本体５は、約Ａ３サイズのシート材を半分に折り畳み、一の短辺部分を溶着によって閉じて形成されており、当該短辺部分には、溶着工程においてシート材が溶けてできた複数の溶着痕１１が残っている。
【００１８】  切欠き７は、従来のファイルホルダに設けられているものと同じ機能を有しており、即ち、書類を収納する際には、当該切欠き７から覗く他方のシート材を摘んで開口部３を開くことができるようにしている。
【００１９】  切欠き９ａ，９ｂは、同一形状であり、本体５に書類を収納したときは、図２のとおり、書類の一部（ここでは書類の一角）を指で摘むことができる程度に露出させる。
【００２０】  本体５に収納した書類を取り出すときは、図３に示すように、切欠き９ａ，９ｂから覗く書類１３の一部を摘んで図の矢印の方向へ引っ張るだけで、図４に示すように、書類１３を取り出すことができる。このように、第１実施例のシート体収納具１によれば、本体５に収納した書類１３は、乾燥等の事情に拘らず、開口部３を開く作業を行わずに１ステップで取り出すことができる。
【第２実施例】
【００２１】  図５は、第２実施例のシート体収納具２１の斜視図である。
【００２２】  このシート体収納具２１の本体２３は、第１実施例のシート体収納具１と基本的には同じ構成であるが、本体２３には、従来の機能のみを有する切欠き（第１実施例における切欠き７）は設けずに、本発明の主要部である一対の切欠き２５ａ，２５ｂのみを設けた。
【００２３】  具体的には、この一対の切欠き２５ａ，２５ｂのうち、一方の切欠き２５ｂは、他方の切欠き２５ａよりも浅く、且つ当該他方の切欠き２５ａから覗くシート材の一部を摘むことができるように設けられている。
【００２４】  これにより、本体２３に書類２６を収納するときは、図６に示すように、従来どおりの方法で、一方の切欠き２５ａから除く他方側のシート材の一部を摘んで開口部２７を開けばよい。また、本体２３に収納した書類を取り出すときは、図７に示すように、一対の切欠き２５ａ，２５ｂから露出する書類２６の一部を摘んで引き出せばよい。
【第３実施例】
【００２５】  図８は、第３実施例のシート体収納具３１の斜視図である。
【００２６】  このシート体収納具３１は、例えば、Ａ４サイズの書類を収納するため、
樹脂で作られた１枚のシート材をＡ４サイズに合わせて折り畳み、書類を挿通可能な開口部３３を短辺側にのみ形成するように縁部を閉じて成る本体３５と、
重なり合って開口部３３を形成するシート材の縁部の同じ位置（図では開口部３３の端部）に設けられ、本体３５に書類を収納したとき、書類の一部を摘むことができるように露出させる一対の切欠き３９ａ，３９ｂと
で構成されている。
【００２７】  具体的には、本体３５は、約Ａ３サイズのシート材を半分に折り畳み、長辺側の縁部と一の短辺側の縁部とを溶着によって閉じて形成され、溶着して閉じた長辺側の縁部には、シート体収納具３１を収納することができるファイリング用具に設けられたリング状又は棒状の保持具を挿通させる孔４１が、長さ方向に複数配設されている。
【００２８】  図７は、複数のシート体収納具３１をファイリング用具４５に収納した状態を示す。
【００２９】  ファイリング用具４５は、
表紙、裏表紙、及び背表紙を成すカバー４７と、
シート体収納具３１に設けた孔４１に挿通することによって、シート体収納具３１を保持するリング状の保持具４９と、
レバー５１を操作することにより、保持具４９を開閉させることができる保持具開閉機構と
で構成される一般的なものである。
【００３０】  シート体収納具３１をファイリング用具４５に収納するときは、レバー５１を操作してリング状の保持具４９を開き、本体３５に配設した孔４１に保持具４９を通した後に、レバー５１を再び操作して保持具４９を閉じればよい。これにより、シート体収納具３１は、図に示すように、ファイリング用具４５に収納される。
【００３１】  第３実施例のシート体収納具３１においても、本体３５に書類５５を収納すると、書類５５の一部（図では書類５５の一角）が、切欠き３９ａ，３９ｂから露出（突出）した状態になる。従って、収納した書類５５を取り出すときは、図１０のように、露出した書類５５の一部を摘んで図の矢印の方向へ引っ張るだけで、図１１に示すように、開口部３３を開く作業を伴うことなく、１ステップで書類５５を取り出すことができる。
【第４実施例】
【００３２】  図１２は、第４実施例のシート体収納具６１の斜視図である。
【００３３】  シート体収納具６１は、第３実施例のシート体収納具３１の構成と比較すると、その本体６５は同一であるが、シート体収納具３１では一対の切欠き３９ａ，３９ｂを開口部３３の端部に円弧状に設けたのに対し、本体６５の短辺側に設けた開口部６３の中央付近に一対の切欠き６９ａ，６９ｂを配置した点と、切欠き６９ａ，６９ｂが三角形である点で相違する。このように、開口部６３の中央付近に切欠き６９ａ，６９ｂを配置しても、第３実施例のシート体収納具３１と同一の効果を奏することができる。
【００３４】  また、一対の切欠き６９ａ，６９ｂは、図１３に示すように、その一方の切欠き６９ｂを、他方の切欠き６９ａよりも浅く、且つ当該他方の切欠き６９ａから覗くシート材の一部を摘むことができるように設けることができる。これにより、本体６５に書類を収納するときは、従来どおりの方法で、一方の切欠き６９ａから除く他方側のシート材の一部を摘んで開口部６３を開けばよい。また、本体６５に収納した書類を取り出すときは、一対の切欠き６９ａ、６９ｂから露出する書類の一部を摘んで引き出せばよい。
【００３５】  以上、本発明の実施例について説明したが、本発明はこれらに限られない。
【００３６】  例えば、上記いずれの実施例においても、本体５，２３，３５，６５は、Ａ４サイズの書類に合わせて作られているが、Ｂ５サイズやＡ５サイズなど任意のサイズの書類に合わせて作ることができる。また、書類の形状についても、長方形等の矩形に限られず、円形等の任意の形状を採用することができ、この場合、本体５，２３，３５，６５は、収納する書類のサイズ（形状及び大きさ）に合わせて作ればよい。
【００３７】  本体５，２３，３５，６５は、弾性材料と塑性材料とを問わず、紙や金属等の任意の材料から成るシート材で作ることができる。
【００３８】  実施例では、一のシート体収納具１，２１，３１，６１から書類１３，２６，５５を取り出す方法について説明したが、例えば、図１４に示すように、書類５５を収納した第３実施例のシート体収納具３１を複数重ね合わせた状態にして、各シート体収納具３１の切欠き３９ａ，３９ｂから露出する書類５５の一部分をまとめて摘み、これらのシート体収納具３１から、収納されている全ての書類１３，５５を一度に取り出すこともできる。
【００３９】  また、一対の切欠き９ａ，９ｂ，２５ａ，２５ｂ，３９ａ，３９ｂ，６９ａ，６９ｂは、実施例を説明する図に示す形状に限らず、シート体の一部を摘むことができる程度に露出させるものであれば、任意の形状で設けることができる。
【００４０】  更に、実施例では、シート体として、書類を採用したが、ＣＤや写真等の任意のシート状物体を採用することができる。
【図面の簡単な説明】
【００４１】
【図１】  第１実施例のシート体収納具の斜視図。
【図２】  シート体収納具に書類を収納した状態を示す図。
【図３】  一対の切欠きから覗く書類の一部を摘んだ状態を示す図。
【図４】  シート体収納具から書類を取り出している状態を示す図。
【図５】  第２実施例のシート体収納具の斜視図。
【図６】  シート体収納具の開口部を開く方法を示す図。
【図７】  シート体収納具から書類を取り出している状態を示す図。
【図８】  第３実施例のシート体収納具の斜視図。
【図９】  ファイリング用具に保持したシート体収納具に書類を収納した状態を示す図。
【図１０】  一対の切欠きから覗く書類の一部を摘んだ状態を示す図。
【図１１】  シート体収納具から書類を取り出している状態を示す図。
【図１２】  第４実施例のシート体収納具の斜視図。
【図１３】  一対の切欠きのうち、一方の切欠きを、他方の切欠きよりも浅く設けた態様を示す図。
【図１４】  複数のシート体収納具に収納した書類を、まとめて一度に取り出している状態を示す図。
【図１５】  従来のファイルホルダの斜視図。
【図１６】  ファイルホルダに書類を収納するときの従来の方法を示す図。
【図１７】  ファイルホルダから書類を取り出すときの従来の方法を示す図。
【符号の説明】
【００４２】  １，２１，３１，６１…シート体収納具、３，２７，３３，６３，１２０…開口部、５，２３，３５，６５…本体、７，９ａ，９ｂ，２５ａ，２５ｂ，３９ａ，３９ｂ，６９ａ，６９ｂ，１２３…切欠き、１１，１２２…溶着痕、１３，２６，５５，１２４…書類、４１…孔、４５…ファイリング用具、４７…カバー、４９…保持具、５１…レバー、１２１…ファイルホルダ。
【図１】
2007030488.tif 000003
【図２】
2007030488.tif 000004
【図３】
2007030488.tif 000005
【図４】
2007030488.tif 000006
【図５】
2007030488.tif 000007
【図６】
2007030488.tif 000008
【図７】
2007030488.tif 000009
【図８】
2007030488.tif 000010
【図９】
2007030488.tif 000011
【図１０】
2007030488.tif 000012
【図１１】
2007030488.tif 000013
【図１２】
2007030488.tif 000014
【図１３】
2007030488.tif 000015
【図１４】
2007030488.tif 000016
【図１５】
2007030488.tif 000017
【図１６】
2007030488.tif 000018
【図１７】
2007030488.tif 000019